(57)【要約】【課題】従来、セキュリティについては、カメラとモニター間を結線する方法、電波によって無線電送する方法等があったが、コスト高となる、設置には専門家が必要である等の問題があった。【構成】動き・音・一定の音域・光・赤外線・温度・人間の体温等を検出できる検出センサーと、検出センサーの異常検出通知を受ける制御部と、異常検出通知を受けると受信用の携帯電話・ＰＨＳ等の携帯通信端末（携帯電話等とする）又は固定電話に発信する送信用の携帯電話等と、送信用の携帯電話等の発信を受ける受信用の携帯電話等又は固定電話と、受信用の携帯電話等又は固定電話からＤＴＭＦ信号による遠隔制御情報を送信し処理するＤＴＭＦ信号処理部と、遠隔制御情報で可動可能な回転台で構成する映像を送受信できる携帯電話等を使用した遠隔監視システムであり、簡易なセッティンク゛が可能、低コスト化が図れる、汎用性がある、遠隔制御が可能、セキュリティの向上が図れる等の特徴がある。【選択図】　　図１
2004048571.tif 000002
【特許請求の範囲】
【請求項１】
遠隔地から遠隔制御情報を送信して遠隔監視する映像を送受信できる携帯電話・ＰＨＳ等の携帯通信端末を使用した遠隔監視システムにおいて、動き・音・一定の音域・光・赤外線・温度・人間の体温等を検出することができる検出センサーと、検出センサーからの異常検出通知を受ける制御部と、一定の異常検出通知を受けると、制御部からの指示により、自動的に登録してある受信用の携帯電話・ＰＨＳ等の携帯通信端末又は固定電話に発信する送信用の携帯電話・ＰＨＳ等の携帯通信端末と、送信用の携帯電話・ＰＨＳ等の携帯通信端末からの発信を受ける受信用の携帯電話・ＰＨＳ等の携帯通信端末又は固定電話と、発信を受けた場合、受信用の携帯電話・ＰＨＳ等の携帯通信端末又は固定電話からＤＴＭＦ信号による遠隔制御情報を送信し、該遠隔制御情報を処理するＤＴＭＦ信号処理部と、遠隔制御情報により可動可能な回転台と、で構成された映像を送受信できる携帯電話・ＰＨＳ等の携帯通信端末を使用した遠隔監視システム。
【請求項２】
回転台と一体化した充電器を有する請求項１に記載の映像を送受信できる携帯電話・ＰＨＳ等の携帯通信端末を使用した充電可能な遠隔監視システム。
【請求項３】
遠隔操作により送信用の携帯電話・ＰＨＳ等の携帯通信端末に付けられたカメラのス゛ームイン・ス゛ームアウトが可能な請求項１に記載の映像を送受信できる携帯電話・ＰＨＳ等の携帯通信端末を使用した遠隔監視システム。
【発明の詳細な説明】
【０００１】
【発明の属する技術分野】
本発明は、映像を送受信できる携帯電話を利用した充電可能な遠隔監視システムである。
【０００２】
【従来の技術】
従来、防犯や防災をする上で遠隔監視する方法としては、カメラとモニター間を結線する方法、電波によって無線電送する方法等があり、また警備会社に防犯を依頼する等していた。しかし、設置には専門技術者が必要であり、また警備会社に依頼する際にはコスト高となる等の問題があった。
【０００３】
上記問題を解消するために、最近の目覚しい携帯電話の発展により、下記の文献のように、携帯電話を使用して遠隔監視を行うこともできるようになった。
【０００４】
文献（１）は、特開２０００−１９６７６８の「携帯電話を利用した遠隔制御システム」であり、遠隔制御情報をＤＴＭＦ信号で送信する電話機または携帯電話機とこのＤＴＭＦ信号を受信する受信用携帯電話機と受信用携帯電話機から音声出力されたＤＴＭＦ信号を電気信号に変換するマイクロホンとＤＴＭＦ信号をテ゛ィシ゛タル制御信号に変換するＤＴＭＦ信号制御手段とこのテ゛ィシ゛タル制御テ゛ータを被制御機器の制御信号にテ゛コート゛するテ゛コート゛手段とを設ける。既存の携帯電話機や簡易型携帯電話機を受信用携帯電話機として使用して遠隔地の電話機や携帯電話機から被制御機器に対する遠隔制御情報を送ることができる。
【０００５】
文献（２）は、特開２００１−５３９０５の「セキュリティー機能付き携帯電話」であり、映像を送受信できる携帯電話において、マイク内蔵のカメラ部を本体から離脱可能にし、さらにセンサー機能を有し、センサーが感知した場合に予め登録した携帯電話を自動コールする機能を備え、動作する。
【０００６】
【発明が解決しようとする課題】
しかし、携帯電話は充電式のものであり、セキュリティを高度化させるには電源の確保が必須である。また、遠隔制御（携帯電話の機能として付いているカメラ、ＴＶ電話等のカメラの向きを変更する等の遠隔制御）が不可能であった。
【０００７】
文献（１）は、既存の携帯電話等を使用することにより簡易化が可能であるが、コスト高となること、携帯電話の電源確保ができないこと、遠隔操作が限られること等の課題がある。また、文献（２）は、非常に簡易であり、使いやすいが、携帯電話の電源確保ができないこと、具体的な内容に欠けていること等の課題がある。
【０００８】
【課題を解決するための手段】
本発明は、携帯電話を使用して簡易なセッティンク゛が可能であること、低コスト化を図ることができること、市販の携帯電話を使用するので汎用性があること、ＤＴＭＦ信号により、遠隔制御が可能であること、回転台により可動するので、広範囲の監視が可能となり、セキュリティの向上を図ることができること、等の特徴がある。
【０００９】
請求項１は、遠隔地から遠隔制御情報を送信して遠隔監視する映像を送受信できる携帯電話・ＰＨＳ等の携帯通信端末を使用した遠隔監視システムにおいて、動き・音・一定の音域・光・赤外線・温度・人間の体温等を検出することができる検出センサーと、検出センサーからの異常検出通知を受ける制御部と、一定の異常検出通知を受けると、制御部からの指示により、自動的に登録してある受信用の携帯電話・ＰＨＳ等の携帯通信端末又は固定電話に発信する送信用の携帯電話・ＰＨＳ等の携帯通信端末と、送信用の携帯電話・ＰＨＳ等の携帯通信端末からの発信を受ける受信用の携帯電話・ＰＨＳ等の携帯通信端末又は固定電話と、発信を受けた場合、受信用の携帯電話・ＰＨＳ等の携帯通信端末又は固定電話からＤＴＭＦ信号による遠隔制御情報を送信し、該遠隔制御情報を処理するＤＴＭＦ信号処理部と、遠隔制御情報により可動可能な回転台と、で構成された映像を送受信できる携帯電話・ＰＨＳ等の携帯通信端末を使用した遠隔監視システムである。
【００１０】
本発明は、充電可能であるので充電切れの心配がないこと、効率のよい監視が可能となること等の特徴がある。
【００１１】
請求項２は、回転台と一体化した充電器を有する映像を送受信できる携帯電話・ＰＨＳ等の携帯通信端末を使用した充電可能な遠隔監視システムである。
【００１２】
本発明は、広範囲の監視が可能となりセキュリティの向上を図ることができること、等の特徴がある。
【００１３】
請求項３は、遠隔操作により送信用の携帯電話・ＰＨＳ等の携帯通信端末に付けられたカメラのス゛ームイン・ス゛ームアウトが可能な映像を送受信できる携帯電話・ＰＨＳ等の携帯通信端末を使用した遠隔監視システムである。
【００１４】
【発明の実施の形態】
本発明は、市販されている映像を送受信できる携帯電話・ＰＨＳ等の携帯通信端末（以下、携帯電話とする。）を利用した遠隔監視システムである。セキュリティを確保するため、今まで、警備会社に頼む等費用がかかりコスト高となっていた。本発明は市販されている携帯電話を利用するものであり、事務所・中小企業・家庭等（以下、事務所等とする。）に簡易に取付けることが可能であり、更には充電器と一体となっているので場所を取ることもなく、僅かなスヘ゜ースで設置可能である。実際に使用する際には、図５のように扉側に携帯電話のカメラを向ける、窓側に携帯電話のカメラを向ける、等して監視する。また、市販の携帯電話を使用するものであり、例えば、昼間は事務所等には通常、誰かが滞在している場合が多いため、通常の連絡用として携帯電話を使用し、夜、事務所等が無人になる際に、上記のように設置しておけば、遠隔監視が可能であり、更には携帯電話の充電も可能である。
【００１５】
【実施例】
本発明の一実施例を図面を基に説明する。
【００１６】
本発明の映像を送受信できる携帯電話を利用した遠隔監視システムは、異常を検出する検出センサー１と、異常を検出した検出センサー１からの信号を受信する制御部２と、制御部２からの信号を受信して受信用の携帯電話４へ発信する送信用の携帯電話３と、送信用の携帯電話３からの発信を受ける受信用の携帯電話４と、発信を受けた受信用の携帯電話４からのＤＴＭＦ信号を使用した遠隔制御情報を処理するＤＴＭＦ信号処理部５と、遠隔制御情報により可動可能な回転台１０と、回転台１０と一体化した充電器８で構成される。
【００１７】
異常を検出する検出センサー１は、検出センサー１が異常を検出すると、制御部２に信号が送られるようになっている。検出センサー１により検出する対象は、動き・音・一定の音域・振動・光・赤外線・温度・人間の体温等何でもよく、特に限定されない。
【００１８】
制御部２は、検出センサー１からの異常検出通知を受けると、異常検出通知が一定の回数又は頻度を超えると、スイッチ付きイヤホンマイク６と繋がっている送信用の携帯電話３へ自動的に信号を送る。なお、一定の回数又は頻度とあるが、例えば、動きを１０回検出したら制御部２から送信用の携帯電話３に信号を送る、何ホン以上の音を検出したら制御部２から送信用の携帯電話３に信号を送る等の設定は自由に可能である。また、動き等を一度でも検出したらすぐに送信用の携帯電話３に信号を送ることも可能である。また、異常検出の頻度が非常に増えた場合、異常検出通知後は、一定時間検出通知を行わないように設定することも可能である。また、タイマーを設定し、何時から何時までの間だけ異常検出を行うように設定することも可能である。
【００１９】
送信用の携帯電話３は、制御部２からの信号を受信すると、登録してある受信用の携帯電話４へ自動発信する。
【００２０】
受信用の携帯電話４は、送信用の携帯電話３からの着信を受けると、通話状態になる。通話状態を確保すると、実際の送信用の携帯電話３を利用して遠隔監視を行っている場所の映像が送られて来るので、その映像を瞬時に受信用の携帯電話４で見ることができ、遠隔監視先の状況を離れた場所から監視することができる。また、受信用の電話４を固定電話にすることも可能である。その際には映像の送信はできないが（ＴＶ電話等の場合は除く）、異常を知らせることは可能である。また、映像を送受信できるＴＶ電話、Ｌモート゛の場合は当然、映像の送信は可能である。また、映像を受信できない携帯電話の場合も、同様に異常を知らせることが可能である。
【００２１】
受信用の携帯電話４は携帯電話のフ゜ッシュホ゛タンを使用して遠隔制御情報をＤＴＭＦ信号により送信することができる。受信用の携帯電話４から送信されたＤＴＭＦ信号による遠隔制御情報は、送信用の携帯電話３に送信され、そこからイヤホンマイク６を通じてＤＴＭＦ信号処理部５へと送られる。ＤＴＭＦ信号処理部５によって受信用の携帯電話４から送られて来たＤＴＭＦ信号の指示を変換し、制御部２を通じて、出力先である回転台１０を可動させることができる。例えば、「１＊」が右回り、「２＊」が左回り、「３＊」が左１８０度回転、「４＊」が右１８０度回転、等（一例である。）の設定をすることにより、回転台１０を可動させることも可能である。回転台に使用するモーターはステッヒ゜ンク゛モーター等の使用が考えられるが、特に限定されない。回転台を可動させることにより、死角を減らし、より広範囲で監視が可能となり、セキュリティの向上に繋がる。
【００２２】
また、回転台１０の可動だけでなく、携帯電話のカメラ７のス゛ームイン・ス゛ームアウト、また、コート゛で繋ぐことによって照明・電源のＯＮ／ＯＦＦ、家電製品の制御等も可能である。
【００２３】
また、回転台１０は充電器８と一体型となっているので、携帯電話の充電をしながら監視をすることができ、携帯電話の充電切れの心配も無く、効率のよい遠隔監視が可能である。なお、９は充電器台である。
【００２４】
このように、この遠隔監視システムでは既存の携帯電話機をそのまま受信用携帯電話機に使用して遠隔地の電話機や携帯電話機から遠隔操作を行うことが可能である。
【００２５】
【発明の効果】
本発明は、遠隔地から遠隔制御情報を送信して遠隔監視する映像を送受信できる携帯電話・ＰＨＳ等の携帯通信端末を使用した遠隔監視システムにおいて、動き・音・一定の音域・光・赤外線・温度・人間の体温等を検出することができる検出センサーと、検出センサーからの異常検出通知を受ける制御部と、一定の異常検出通知を受けると、制御部からの指示により、自動的に登録してある受信用の携帯電話・ＰＨＳ等の携帯通信端末又は固定電話に発信する送信用の携帯電話・ＰＨＳ等の携帯通信端末と、送信用の携帯電話・ＰＨＳ等の携帯通信端末からの発信を受ける受信用の携帯電話・ＰＨＳ等の携帯通信端末又は固定電話と、発信を受けた場合、受信用の携帯電話・ＰＨＳ等の携帯通信端末又は固定電話からＤＴＭＦ信号による遠隔制御情報を送信し、該遠隔制御情報を処理するＤＴＭＦ信号処理部と、遠隔制御情報により可動可能な回転台と、で構成された映像を送受信できる携帯電話・ＰＨＳ等の携帯通信端末を使用した遠隔監視システムであり、携帯電話を使用して簡易なセッティンク゛が可能であること、低コスト化を図ることができること、市販の携帯電話を使用するので汎用性があること、ＤＴＭＦ信号により、遠隔制御が可能であること、広範囲の監視が可能となり、セキュリティの向上を図ることができること、等の特徴がある。
【００２６】
本発明は、回転台と一体化した充電器を有する映像を送受信できる携帯電話・ＰＨＳ等の携帯通信端末を使用した充電可能な遠隔監視システムであり、充電可能であるので充電切れの心配がないこと、効率のよい監視が可能となること等の特徴がある。
【００２７】
本発明は、遠隔操作により送信用の携帯電話・ＰＨＳ等の携帯通信端末に付けられたカメラのス゛ームイン・ス゛ームアウトが可能な映像を送受信できる携帯電話・ＰＨＳ等の携帯通信端末を使用した遠隔監視システムであり、広範囲の監視が可能となりセキュリティの向上を図ることができること、等の特徴がある。
【図面の簡単な説明】
【図１】本発明の一実施例を示すフローチャートである。
【図２】本発明の一例を示す斜視図である。
【図３】本発明の他の一例を示す斜視図である。
【図４】本発明のさらに他の一例を示す斜視図である。
【図５】本発明の実際の使用例を示す斜視図である。
【符号の説明】
１　　　　　検出センサー
２　　　　　制御部
３　　　　　送信用の携帯電話
４　　　　　受信用の携帯電話
５　　　　　ＤＴＭＦ信号処理部
６　　　　　イヤホンマイク
７　　　　　カメラ
８　　　　　充電器
９　　　　　充電器台
１０　　　　回転台
【図１】
2004048571.tif 000003
【図２】
2004048571.tif 000004
【図３】
2004048571.tif 000005
【図４】
2004048571.tif 000006
【図５】
2004048571.tif 000007